(57)【要約】【課題】机上等に載置して使用する場合は、テープ引出力による位置ズレや傾倒を確実に防止できると共に、持ち運びや手持ち使用する場合は、重さによる使用者への負担が少ないテープカッターを提供する。【解決手段】粘着テープ巻体１を取着する保持輪２と切断刃３が設けられた軽量上半部５と、磁力によって上記軽量上半部５が磁着・分離自在可能として載置される重量下半部６とを、備える。【選択図】図２
2014144861.tif 000002
【特許請求の範囲】
【請求項１】
粘着テープ巻体（１）を取着する保持輪（２）と切断刃（３）が設けられた軽量上半部（５）と、磁力によって上記軽量上半部（５）が磁着・分離自在可能として載置される重量下半部（６）とを、備えていることを特徴とするテープカッター。
【請求項２】
上記重量下半部（６）の重さは、上記軽量上半部（５）の３倍以上１０倍以下に設定した請求項１記載のテープカッター。
【請求項３】
上記軽量上半部（５）は、底部（５ａ）に、マグネット（51）を有し、
上記重量下半部（６）は、上部（６ａ）に、上記マグネット（51）が磁着可能な被磁着部材（61）を有する請求項１又は２記載のテープカッター。
【発明の詳細な説明】
【技術分野】
【０００１】
本発明は、テープカッターに関する。
【背景技術】
【０００２】
従来、粘着テープ巻体が取着する保持輪と粘着テープを切断するための切断刃とを設けたテープカッターは、テープ引出力やテープ切断力によって、テープカッターが位置ズレや傾倒しないように、コンクリート等の錘部材を内設して重くしていた（例えば、特許文献１参照）。
【先行技術文献】
【特許文献】
【０００３】
【特許文献１】特開平９−２４０９１２号公報
【発明の概要】
【発明が解決しようとする課題】
【０００４】
しかし、テープカッターを持ち運びする場合や、手持ち使用する場合は、前述の錘部材の重さが使用者にとって負担となり、使い勝手が悪いものであった。
【０００５】
そこで、本発明は、机上等に載置して使用する場合は、テープ引出力による位置ズレや傾倒を確実に防止できると共に、持ち運びや手持ち使用する場合は、重さによる使用者への負担が少ないテープカッターの提供を目的とする。
【課題を解決するための手段】
【０００６】
上記目的を達成するために、本発明のテープカッターは、粘着テープ巻体を取着する保持輪と切断刃が設けられた軽量上半部と、磁力によって上記軽量上半部が磁着・分離自在可能として載置される重量下半部とを、備えているものである。
また、上記重量下半部の重さは、上記軽量上半部の３倍以上１０倍以下に設定したものである。
また、上記軽量上半部は、底部に、マグネットを有し、上記重量下半部は、上部に、上記マグネットが磁着可能な被磁着部材を有するものである。
【発明の効果】
【０００７】
本発明によれば、机等に載置して使用する場合は、軽量上半部と重量下半部とを重ね合わせて（結合して）用いることで、テープ引出力やテープ切断力によって、位置ズレや傾倒することがなく、容易に粘着テープを切断できる。そして、持ち運びや、手に持ってテープを切断する場合に、分離して軽量上半部のみを手に持てば良いので、重さや大きさによる使用者への負担を軽減でき、長時間の携帯や手持ち使用が可能となる。特に、力の弱い子供や高齢者が手に持って長時間使用可能なテープカッターが得られる。
【図面の簡単な説明】
【０００８】
【図１】本発明の実施の一形態を示す側面断面図である。
【図２】分離状態を示す側面断面図である。
【図３】軽量上半部の使用状態の一例を示す側面図である。
【発明を実施するための形態】
【０００９】
以下、図示の実施形態に基づき本発明を詳説する。
本発明に係るテープカッターは、図１に示すように、粘着テープ巻体１を取着する保持輪２と切断刃３が設けられた軽量上半部５と、その軽量上半部５が載置される重量下半部６とを、備えている。
そして、軽量上半部５の重さを、重量下半部６よりも軽く設定している。つまり、本発明に於て、軽量上半部５の「軽量」とは、重量下半部６よりも軽いことを意味し、重量下半部６の「重量」とは、軽量上半部５よりも重いことを意味する。
【００１０】
軽量上半部５は、底部５ａに、シート状のマグネット51を有している。
具体的には、軽量上半部５は、軸付きの樹脂製の保持輪２と、金属製の切断刃３と、保持輪２を回転自在に保持すると共に切断刃３が固着される樹脂製の上半本体４と、上半本体４の下面41に固着されるマグネット51と、を備えている。
【００１１】
重量下半部６は、上部６ａに、軽量上半部５のマグネット51が磁着可能な金属から成る被磁着部材61を有している。
具体的には、重量下半部６は、有底箱型の樹脂製の下半本体７と、下半本体７の上部７ａに水平面状に固着される板状の被磁着部材61と、下半本体７に内装されるブロック状の錘部材62と、を備えている。被磁着部材61の上面61ａを、軽量上半部５が載置する上半部載置面としている。
【００１２】
そして、重量下半部６に軽量上半部５が載置されて、マグネット51が被磁着部材61に磁着して図１の結合状態となっている。
さらに、図１に示す結合状態から、図２に示すように、軽量上半部５と重量下半部６が上下方向に分離した分離状態に、分割可能に設けている。
即ち、軽量上半部５と重量下半部６とを上下方向に接近・離間させことで、磁力によって磁着・分離自在（着脱自在）としている。
【００１３】
また、下半本体７の内部に錘部材62を設け、上半本体４を中空状にして、重量下半部６の重さを、軽量上半部５の３倍以上１０倍以下となるように設定している。
重量下半部６の重さが、軽量上半部５の３倍未満であると、結合状態（磁着状態）で使用者からテープ引出力やテープ切断力を受けた場合に、位置ズレや傾倒を確実に防止できない虞がある。また、１０倍を越えると、重量下半部６の移設が困難になると共に大型化して使い勝手が悪くなってしまう。
【００１４】
なお、被磁着部材61を、金属製の板状乃至ブロック部材から成るように構成し、被磁着部材61を錘部材62として併用するも良い。言い換えると、被磁着部材61と錘部材62を金属製ブロック状に、一体に設けても良い。また、被磁着部材61を錘部材62として併用すると共にコンクリート等の非金属から成る錘部材62を設けても良い。
【００１５】
また、重量下半部６は、上部６ａに、上半部載置面61ａよりも上方に突出して、載置された軽量上半部５の下端縁部（下端周縁部）５ｂを包囲する位置決め用の包囲壁部60を有している。つまり、下半本体７は、被磁着部材61の上面61ａよりも上方に突出して、載置された上半本体４の下端縁部４ｂを包囲する位置決め用の包囲壁部60を有している。
【００１６】
次に、本発明のテープカッターの使用方法（作用）について説明する。
図１に示すように、机やテーブル等の水平面状の設置面Ｇ上に載置された重量下半部６の上半部載置面61ａに、軽量上半部５が載置され、マグネット51が被磁着部材61に磁着して結合状態となる。
【００１７】
結合状態に於て、粘着テープを引き出すテープ引出力や、引き出した粘着テープを前方下方へ押し下げて切断刃３で切断するテープ切断力を受けても、重量下半部６の重さが、引き出し方向への位置ズレ（滑り）や、後方が浮き上がるような前方下傾状となる倒れを防止する。また、包囲壁部60によって、軽量上半部５と重量下半部６の間の滑りが規制され所定位置に保持され、より磁着力が保持され姿勢を安定させる。使用者は、軽量上半部５や重量下半部６を押さえる必要がなく、片手で容易かつスムーズに粘着テープを引き出して所望の長さに切断できる。
【００１８】
そして、設置面Ｇから離れた場所で、粘着テープ切断作業を行う場合は、図２に示すように、軽量上半部５を重量下半部６から分離する。
軽量上半部５と重量下半部６の結合状態に比べて、軽量・小型な軽量上半部５のみを、所望の作業現場に持って行くことができると共に手に持って作業でき、長時間でも疲れず、使用者の負担が軽減される。つまり、従来は、軽量上半部５と重量下半部６の結合状態に相当する大きさと重さをもったテープカッターを、持ち運ぶ必要があり使用者の負担が大きかった。
そして、作業終了後に、軽量上半部５を戻す（片づける）位置が、重量下半部６によって確認でき、図１の結合状態にすることで、所定位置に戻されることとなり、整理整頓にも貢献できる。
【００１９】
なお、本発明の説明を容易にするために、重量下半部６を水平状面の設置面Ｇに載置して使用する場合を基準使用姿勢として、方向を説明している。したがって、方向を基に、使用状態の姿勢を限定するものではない。
例えば、軽量上半部５は、重量下半部６との結合用のマグネット51を有効利用して、図３に示すように、冷蔵庫やスチール棚等の鉛直面状の被磁着面Ｔに、磁着して使用できる。また、図示省略するが、カウンターテーブルの下面又は棚の天板等といった天井面（水平状面の下面側）に逆さに貼り付けた使用も可能である。携帯先の現場にて、マグネット51を利用して磁着させることにより、作業性をより向上できると共に作業者の負担をより軽減できる。
【００２０】
また、本発明を言い換えると、図１に於て、保持輪２を回転自在に保持すると共に切断刃３が固着され内部に錘部材62が設けられるベース体８を備え、ベース体８を、保持輪２を回転自在に保持すると共に切断刃３が固着される中空状の上半本体４と、内部に錘部材62が設けられる下半本体７と、に分割して、上半本体４と下半本体７とを磁力にて結合させてベース体８を構成し、そのベース体８を、軽量な上半本体４側（軽量上半部５）と、重い下半本体７側（重量下半部６）とに分離可能としたものである。
【００２１】
なお、本発明は、設計変更可能であって、マグネット51は、シート状に限らず、板状、ブロック状、短円柱状、円盤状等自由であり、テープ引出力やテープ切断力が付与された場合に、軽量上半部５と重量下半部６が分離しないような磁力（磁着力）を発揮でき、かつ、人の手の力（工具無しで）で分離可能な磁力を発揮するものであれば良い。また、下半本体７は、図示以外の形状でもよく、例えば、被磁着部材61と錘部材62の間に、被磁着部材61取着用の仕切り壁部や凸部等を設けたものであっても良い。また、マグネット51が磁着可能な範囲で、被磁着部材61の上面61ａに、装飾用や保護用シートを固着（貼着や接着）しても良い。
【００２２】
以上のように本発明のテープカッターは、粘着テープ巻体１を取着する保持輪２と切断刃３が設けられた軽量上半部５と、磁力によって軽量上半部５が磁着・分離自在可能として載置される重量下半部６とを、備えているので、机等に載置して使用する場合は、軽量上半部５と重量下半部６とを積み重ねて（結合状態にして）用いることで、テープ引出力やテープ切断力によって、位置ズレや傾倒することがなく、容易かつスムーズに粘着テープを切断できる。
そして、持ち運びや、手に持ってテープ切断作業する場合には、軽量上半部５のみを分離使用して、重さや大きさによる使用者への負担を軽減でき、長時間の携帯使用や手持ち使用が可能となる。特に、力の弱い子供や高齢者が手に持って簡便に使用可能なテープカッターが得られる。
【００２３】
また、上記重量下半部６の重さは、軽量上半部５の３倍以上１０倍以下に設定したので、結合状態（磁着状態）で、使用者からテープ引出力やテープ切断力を受けた場合に、位置ズレを確実に防止できる。かつ、軽量上半部５と重量下半部６のバランスが良く、使い勝手を良くできる。
【００２４】
また、軽量上半部５は、底部５ａに、マグネット51を有し、重量下半部６は、上部６ａに、マグネット51が磁着可能な被磁着部材61を有するので、軽量上半部５のみを、冷蔵庫やスチール棚等、磁着可能な被磁着物に取着でき、長時間手に持って（携帯して）作業する必要がなく、使用者の負担を軽減できる。鉛直面状の被磁着面Ｔに磁着でき作業性を向上できる。
【符号の説明】
【００２５】
１  粘着テープ巻体
２  保持輪  
３  切断刃
５  軽量上半部
５ａ  底部
６  重量下半部
６ａ  上部  
51  マグネット
61  被磁着部材
【図１】
2014144861.tif 000003
【図２】
2014144861.tif 000004
【図３】
2014144861.tif 000005